(57)【特許請求の範囲】
【請求項１】
着用者のヒップを緊締する部分を有する体型補正衣料であって、
全体の基本的形状を形作っていて着用者の身体に比較的弱く当接する衣料（１）の一部であって、ヒップ全体を保持するヒップ保持部（１１）と、
前記衣料（１）に着設され、比較的強い緊締力でヒップの下部を支持する適宜幅の帯状のヒップ下支持部（２）と、
前記ヒップ下支持部（２）の上部に付設され、中程度の緊締力でヒップを持ち上げる適宜幅の帯状のヒップ下部包囲部（３）と、
前記ヒップ下部包囲部（３）と一部で重なり、中程度の緊締力でヒップを側方より支持し、ヒップの側方上部から少しずつ幅が広くなりヒップの側方あたりで最も幅が広くヒップの下方に進みに従い少しずつ幅が狭くなるヒップ側部包囲部（４）と、
を具備することを特徴する体型補正衣料。
【請求項２】
前記ヒップ下部包囲部（３）と前記ヒップ側部包囲部（４）との重なる部分において、前記ヒップ側部包囲部（４）が着用者側に位置することを特徴とする請求項１に記載の体型補正衣料。
【請求項３】
前記ヒップ下部包囲部（３）と前記ヒップ側部包囲部（４）との重なる部分において、前記ヒップ下部包囲部（３）が着用者側に位置することを特徴とする請求項１に記載の体型補正衣料。
【請求項４】
前記ヒップ側部包囲部（４）の緊締力が、前記ヒップ下部包囲部（３）の緊締力より強いことを特徴とする請求項１乃至３のいずれか一項に記載の体型補正衣料。
【請求項５】
前記ヒップ下部包囲部（３）の緊締力が、前記ヒップ側部包囲部（４）の緊締力より強いことを特徴とする請求項１乃至３のいずれか一項に記載の体型補正衣料。
【発明の詳細な説明】
【技術分野】
【０００１】
本発明は、部分的に緊締力の異なる素材を用いて、着用者の身体、特にヒップの形状の補正を行う体型補正衣料に関する。
【背景技術】
【０００２】
従来、ショーツ、ガードル、パンツ、ズボン、スパッツ、水着、レオタード、ボディースーツなど着用者の身体に直接又は間接的に接触する衣料において、所定部分の緊締力を大きくし、着用者の身体のラインを美しく見せる衣料が広く知られている。
【０００３】
特許文献１では、ヒップラインを美しく見せるために、ヒップの下部を囲んで持ち上げることができるように設けられている強いテンションを有するほぼ一様な幅の帯状の小伸度部位（７１）と、着用者のヒップ全体を保持し弱いテンションを有する大伸度部位（７２）と、美しいヒップラインを出すことができるとするヒップアップ機能を備えた衣料が公開されている。
【先行技術文献】
【特許文献】
【０００４】
【特許文献１】特開１０−１１０３０５号公報
【発明の概要】
【発明が解決しようとする課題】
【０００５】
上記のように、上述の特許文献１に記載の発明では、ヒップの下部を伸縮の小さい帯状の小伸度部位（７１）でヒップの垂れさがりを支持し、その支持されたヒップは小伸度部位（７１）より弱いテンションではあるが均一のテンションにて小伸度部位（７１）よりはみ出したヒップの下部、ヒップの側方部及び上部を支持している。しかしながら、ヒップの形状は年齢による大臀筋、中臀筋の筋力低下、性別による大臀筋、中臀筋の筋力の差異だけでなく、個人の食生活や運動習慣など種々の要因による大臀筋、中臀筋の筋力の差異や脂肪の付き方により千差万別であるにも関わらず、小伸度部位（７１）で支持したヒップを、小伸度部位（７１）より弱いテンションであれ均一のテンションにて支持することは種々の事情によりヒップの形状の異なる着用者にはきめ細やかに適応できるとは必ずしもいえなかった。
【０００６】
また、その特許文献１に記載の発明をアウターウエアとして身につけるときはもちろん、ガードルのようなインナーウエアとして用いた場合でも、同様のことが起こっていた。
【０００７】
そこで、本発明は、着用者のヒップを補正する衣料において、種々の事情によりヒップの形状の異なる着用者にきめ細やかに適応することができ、支持されたヒップのトップをさらに上方で支持し、側方より支持し、スマートで綺麗なヒップラインを作ることを課題とする。
【課題を解決するための手段】
【０００８】
すなわち本発明に係る体型補正衣料は、着用者のヒップを緊締する部分を有する体型補正衣料であって、全体の基本的形状を形作っていて着用者の身体に比較的弱く当接する衣料１の一部であって、ヒップ全体を保持するヒップ保持部１１と、前記衣料１に着設され、比較的強い緊締力でヒップの下部を支持する適宜幅の帯状のヒップ下支持部２と、前記ヒップ下支持部２の上部に付設され、中程度の緊締力でヒップを持ち上げる適宜幅の帯状のヒップ下部包囲部３と、前記ヒップ下部包囲部３と一部で重なり、中程度の緊締力でヒップを側方より支持し、ヒップの側方上部から少しずつ幅が広くなりヒップの側方あたりで最も幅が広くヒップの下方に進みに従い少しずつ幅が狭くなるヒップ側部包囲部４と、を具備することを特徴する体型補正衣料。
【０００９】
前記ヒップ下部包囲部３と前記ヒップ側部包囲部４との重なる部分において、前記ヒップ側部包囲部４を着用者側に位置することができる。
【００１０】
前記ヒップ下部包囲部３と前記ヒップ側部包囲部４との重なる部分において、前記ヒップ下部包囲部３を着用者側に位置することができる。
【００１１】
前記ヒップ側部包囲部４の緊締力を、前記ヒップ下部包囲部３の緊締力より強くすることができる。
【００１２】
前記ヒップ下部包囲部３の緊締力を、前記ヒップ側部包囲部４の緊締力より強くすることができる。
【発明の効果】
【００１３】
以上説明したように本発明に係る体型補正衣料は、上述したような構成を有しており、比較的強い緊締力のヒップ下支持部２によって支持されたヒップは、中程度の緊締力のヒップ下部包囲部３で支持され、さらにヒップの側部から中程度の緊締力のヒップ側部包囲部４でヒップ下支持部２よりはみ出すヒップが支持され、それらの部分が比較的弱い緊締力のヒップ保持部１１で覆われることにより、極めて綺麗なヒップラインを作ることができ、常時着用することにより着用者のヒップのシェイプアップの効果も得ることができる。
【００１４】
また、ヒップ下部包囲部３とヒップ側部包囲部４が一部で重なるため、ヒップ下支持部２よりはみ出すヒップの側方下部を安定的に支持し、ヒップを外側及び下方へ垂れ落ちることを防ぐことができる。
【００１５】
また、ヒップ下部包囲部３とヒップ側部包囲部４とを異なる部材としているため、ヒップ保持部１１とヒップ下支持部２の緊締力の間の力にある限りにおいて、ヒップ下部包囲部３とヒップ側部包囲部４のそれぞれの緊締力を異なる値となるように設計することができ、製造ラインの大幅な変更をすることなく、種々の事情によりヒップの形状の異なる着用者に対して、きめ細やかに綺麗なヒップラインを作り出すことができる。
【００１６】
また、比較的弱い緊締力のヒップ保持部１１、比較的強い緊締力のヒップ下支持部２、中程度の緊締力のヒップ下部包囲部３及びヒップ側部包囲部４と少なくとも３段階の緊締力を有し、かつヒップ上部に移るに従って緊締力が減少するよう構成されているため、段階的にヒップを支持することができ、より自然なヒップラインを作り出せる。
【００１７】
そして、前記ヒップ下部包囲部３と前記ヒップ側部包囲部４との重なる部分において、前記ヒップ側部包囲部４が着用者側に位置するため、ヒップ側部包囲部４の緊締力をよりヒップに伝えやすくなる。
【００１８】
そして、前記ヒップ下部包囲部３と前記ヒップ側部包囲部４との重なる部分において、前記ヒップ下部包囲部３が着用者側に位置するため、ヒップ下部包囲部３の緊締力をよりヒップに伝えやすくなる。
【００１９】
そして、前記ヒップ側部包囲部４の緊締力が、前記ヒップ下部包囲部３の緊締力より強くすることができるため、ヒップ下支持部２によって支持されたヒップを中央側に寄せる効果が得られる。
【００２０】
そして、前記ヒップ下部包囲部３の緊締力が、前記ヒップ側部包囲部４の緊締力より強くすることができるため、ヒップ下支持部２によって支持されたヒップを上方に持ち上げる効果が得られる。
【図面の簡単な説明】
【００２１】
【図１】本発明の一実施形態の着用状態での斜視図。
【図２】本発明の一実施形態をヒップと当接する部分を視認できるように裏返した状態の図。
【図３】本発明の一実施形態の着用状態での側面図。
【図４】先行技術文献に記載の一実施形態の背面図。
【発明を実施するための形態】
【００２２】
以下、本発明に係る体型補正衣料に関する好適な一実施形態について図面を参照して詳しく説明する。
【００２３】
この体型補正衣料は、全体の基本的形状を形作っていて着用者の身体に比較的弱い緊締力で当接する弱圧部に、比較的強い緊締力で当接する強圧部と、中程度の緊締力すわなち弱圧部と強圧部の間の緊締力で当接する部分などを、糸による縫合又は接着剤による接着などの固定手段により着設している衣料である。
【００２４】
衣料１が全体の基本的形状を形作っていて着用者の身体に比較的弱く当接する弱圧部であり、そのうち強圧部と、弱圧部と強圧部の間の中程度の緊締力で当接する部分とによって、身体に当接する部分をヒップ保持部１１と、脚包接部１３などの領域に区分けされる。具体的には、衣料１は身体の腰部、臀部、鼠径部、大腿の上部を包み込む形状を有しているため本発明の全体の基本的形状を形作り、一種類の生地から縫製されているため、いずれの箇所においても同じ弱い緊締力で身体に当接する。また、その上端側で素材が外側に向かって約２ｃｍの幅で折り返され衣料１と縫い合わされており、上端の繊維のほつれを防止する上端部１２を形成している。
【００２５】
この弱圧部の素材は、特に限定されるものでないが、天然繊維又は合成繊維など適時選択される素材である。例えば、綿、絹、麻、ウール、セルロース、ナイロン、ポリエステル、アクリル、レーヨン、ニトリルなどが挙げられ、これらを単一で又は複数用いて適度な緊締力を持たせることができる。また、これらの素材に顔料や染料などで着色されたものを用いてもよい。さらに、任意の効果を発現するため、種々の添加剤を配合したものを用いてもよい。
【００２６】
そして、弱圧部の織り方も特に限定されるものでなく、平織り、綾織り、しゅす織りなどの織り方を単独で又はこれらを組合せて所望の目付となるように織ることができる。
【００２７】
一方、着用者のヒップ下方を支持する適切な幅の帯状のヒップ下支持部２、身体側方から背面側に当接する適切な幅の帯状の胴周り支持部５、ヒップの中心線を上方から下方に亘り位置する適切な帯状の中央部６を、それぞれ強圧部とし、それぞれ腰部の側方にて重なるように位置し、内側すわなち身体側で衣料１と縫い合わされている。
【００２８】
この強圧部の素材は、特に限定されるものでないが、天然繊維又は合成繊維など適時選択される素材である。例えば、綿、絹、麻、ウール、セルロース、ナイロン、ポリエステル、アクリル、レーヨン、ニトリルなどが挙げられ、これらを単一で又は複数用いて弱圧部より強い緊締力を持たせることができる。また、これらの素材に顔料や染料などで着色されたものを用いてもよい。さらに、任意の効果を発現するため、種々の添加剤を配合したものを用いてもよい。
【００２９】
そして、強圧部の織り方も特に限定されるものでなく、平織り、綾織り、しゅす織りなどの織り方を単独で又はこれらを組合せて所望の目付となるように織ることができる。
【００３０】
胴周り支持部５は、身体側方から背面側に至るにつれて幅が少しずつ狭くなるほぼ一様な幅の帯状で、身体側方から背面側に至るように左右対称に設けられる。具体的には、胴周り支持部５の上縁が身体側方から背面側に至るまで、衣料１の上部の端である上端１２に沿うように縫い付けられ、胴周り支持部５の下縁が身体側方から背面側に至るにつれてその上縁側に近づき、衣料１の臀部の中央付近に縫い合わされた中央部６で最もその上縁側に近づき、身体側方から背面側に至るまで身体に当接する。そして、胴周り支持部５は、衣料１と中央部６とに挟まれるようにして身体側で縫い合わされ、胴周り支持部５の下縁は、衣料１と縫い合わされている。
【００３１】
ヒップ下支持部２は、胴周り支持部５よりも幅が広く、身体側方から背面側へとヒップの下方に沿うようにしながら幅が少しずつ狭くなる帯状の形状で、身体側方にて上縁が胴周り支持部５の下縁と衣料１に挟まれるように、臀部中央付近にて衣料１と中央部６に挟まれるように身体側で縫い合わされており、そしてヒップ下支持部２の上縁及び下縁が衣料１と縫い合わされている。ヒップ下支持部２の身体側方では、身体の腰部のから大腿部の付け根を覆う程度の幅を有している。
【００３２】
さらに、ヒップ下支持部２よりはみ出したヒップを下方又は側方より支持するヒップ下部包囲部３、ヒップ側部包囲部４を、それぞれ弱圧部と強圧部の間の中程度の緊締力で当接する部分とし、それぞれの下縁が衣料１とヒップ下支持部２の上縁とに挟まれて身体側で縫い合わされている。
【００３３】
この弱圧部と強圧部の間の中程度の緊締力で当接する部分の素材は、特に限定されるものでないが、天然繊維又は合成繊維など適時選択される素材である。例えば、綿、絹、麻、ウール、セルロース、ナイロン、ポリエステル、アクリル、レーヨン、ニトリルなどが挙げられ、これらを単一で又は複数用いて弱圧部と強圧部の間の緊締力を持たせることができる。また、これらの素材に顔料や染料などで着色されたものを用いてもよい。さらに、任意の効果を発現するため、種々の添加剤を配合したものを用いてもよい。
【００３４】
そして、弱圧部と強圧部の間の中程度の緊締力で当接する部分の織り方も特に限定されるものでなく、平織り、綾織り、しゅす織りなどの織り方を単独で又はこれらを組合せて所望の目付となるように織ることができる。
【００３５】
ヒップ下部包囲部３は、胴周り支持部５と同程度の幅で一様な幅の帯状で、ヒップ下部包囲部３の中央付近の下縁から両端側にかけて徐々に上縁へ向かうラインがヒップ下支持部２の上縁及びヒップ側部包囲部４の下縁と、衣料１との間に挟まれるように、そして臀部中央付近にて衣料１と中央部６に挟まれるように身体側で縫い合わされている。また、ヒップ下部包囲部３の中央付近では中央部６と縫い合わされているものの、その中央付近からヒップ下支持部２の上縁と縫い合わされる部分までの間のヒップ下部包囲部３の上縁は衣料１ともヒップ側部包囲部４とも縫い合わされていないため、自由に衣料１との位置を変更できるので、着装するヒップの形状に合わせ衣料１に皺や弛みを生じさせない。
【００３６】
ヒップ側部包囲部４は、ヒップ下部包囲部３よりも幅広い略半円形の形状で、ヒップの側方上部から少しずつ幅が広くなりヒップの側方あたりで最も幅が広くヒップの下方に進みに従い少しずつ幅が狭くなる。そして、ヒップ側部包囲部４は、ヒップの側方上部側でヒップ側部包囲部４の一端がヒップ下支持部２の上縁及び胴周り支持部５の下縁と、衣料１との間に挟まれるように、ヒップ側部包囲部４の外周の曲線部分の縁がヒップ下支持部２の上縁と衣料１とに挟まれるように身体側で縫い合わされている。また、ヒップ側部包囲部４は、ヒップ下支持部２と縫合されている一端から反対側のヒップ下支持部２の上縁と縫い合わされる部分までの間のヒップ側部包囲部４の外周の直線部分の縁は衣料１ともヒップ下部包囲部３とも縫い合わされていないため、自由に衣料１との位置を変更できるので、着装するヒップの形状に合わせ衣料１に皺や弛みを生じさせない。
【００３７】
また、ヒップ下部包囲部３とヒップ側部包囲部４の重なる部分は、ヒップ下支持部２の上縁では縫い合わされているが、それ以外では衣料１やヒップ下支持部２と縫い合わされておらず、互いに自由に動くことができ、ヒップ下支持部２よりはみ出したヒップの下方を１枚で支持するよりも強く支持することができるため、ヒップの垂れを防止しながらもヒップラインを自然な曲線で保持することができる。なお、本発明では、ヒップ下部包囲部３が、ヒップ側部包囲部４よりも身体側に位置するが、逆の位置関係であってもよい。
【符号の説明】
【００３８】
１・・・衣料
１１・・ヒップ保持部
１２・・上端
１３・・脚包接部
２・・・ヒップ下支持部
３・・・ヒップ下部包囲部
４・・・ヒップ側部包囲部
５・・・胴周り支持部
６・・・中央部
【図１】
0005713233.tif 000002
【図２】
0005713233.tif 000003
【図３】
0005713233.tif 000004
【図４】
0005713233.tif 000005